(57)【要約】【課題】例えばフックや手摺りといった外壁用のアクセサリーなどを、外壁に容易に取付け又は取り外しうる外壁構造を提供する。【解決手段】輪郭形状が実質的に同一な外装モジュール４Ａが表面に規則的に並べられて装飾された規則模様の外装材４を具える外壁構造１である。外装モジュール４Ａは、壁下地材３に固着された主モジュール１１と、該主モジュール１１よりも取り外し容易に壁下地材３に固着された副モジュール１２とを含む。【選択図】図１
2010013872.tif 000002
【特許請求の範囲】
【請求項１】
輪郭形状が実質的に同一な外装モジュールが表面に規則的に並べられて装飾された規則模様の外装材を具える外壁構造であって、
前記外装モジュールは、壁下地材に固着された主モジュールと、前記主モジュールよりも取り外し容易に壁下地材に固着された副モジュールとを含むことを特徴とする外壁構造。
【請求項２】
前記主モジュール及び副モジュールは、矩形かつ同一の表面模様を有するタイル状材からなる請求項１記載の外壁構造。
【請求項３】
前記主モジュールは、接着剤にて固着されるとともに、前記副モジュールは、ビスにより固着される請求項１又は２記載の外壁構造。
【請求項４】
前記壁下地材は、一対の面材と、該面材間に配された縦桟及び／又は横桟を含むとともに、
前記副モジュールは、前記縦桟又は横桟に達するビスにより固着される請求項１乃至３のいずれかに記載の外壁構造。
【請求項５】
前記主モジュールは、矩形のタイル状材からなり、かつ前記副モジュールは、フック、手摺り台座又は花台を含む外壁用のアクセサリー材である請求項１乃至４のいずれかに記載の外壁構造。
【請求項６】
前記副モジュールは、ねじ孔を有した取付金具を介して壁下地材に固着される請求項１又は５記載の外壁構造。
【発明の詳細な説明】
【技術分野】
【０００１】
本発明は、例えばフックや手摺りといったアクセサリー材などを容易に取付け又は取り外しし得る外壁構造に関する。
【背景技術】
【０００２】
従来より、輪郭形状、表面模様及び質感などが実質的に同一なタイル等の外装モジュールが、表面に規則的に並べられて装飾された規則模様の外装材を具える外壁構造が知られている（例えば、特許文献１参照）。
【０００３】
しかしながら、このような外壁構造は、表面がタイルで覆われているので、後から、フックや手摺り等のアクセサリー材をビス等で簡単に取り付けることができない。即ち、従来では、アクセサリー材を取り付けたい位置のタイルをバーナー等で炙り、その裏面の接着剤を軟化させてタイルを取り外した後、外壁の壁下地材（面材）にアクセサリー材をビス固着することが行われている。このため、家屋の購入後、アクセサリー材を外壁に取り付けることが難しいという問題があった。
【０００４】
【特許文献１】特開２００７−２１７９１８号公報
【発明の開示】
【発明が解決しようとする課題】
【０００５】
本発明は、以上のような実状に鑑み案出されたもので、外壁の表面に並べられた外装モジュールに、壁下地材に固着された主モジュールと、主モジュールよりも取り外し容易に壁下地材に固着された副モジュールとを含ませることを基本として、副モジュールを壁下地材から容易に取り外し、そこに種々のアクセサリーを簡単に取付け又は取り外しうる外装構造を提供することを主たる目的としている。
【課題を解決するための手段】
【０００６】
本発明のうち請求項１記載の発明は、輪郭形状が実質的に同一な外装モジュールが表面に規則的に並べられて装飾された規則模様の外装材を具える外壁構造であって、前記外装モジュールは、壁下地材に固着された主モジュールと、前記主モジュールよりも取り外し容易に壁下地材に固着された副モジュールとを含むことを特徴とする外壁構造である。
【０００７】
また請求項２記載の発明は、前記主モジュール及び副モジュールは、矩形かつ同一の表面模様を有するタイル状材からなる請求項１記載の外壁構造である。
【０００８】
また請求項３記載の発明は、前記主モジュールは、接着剤にて固着されるとともに、前記副モジュールは、ビスにより固着される請求項１又は２記載の外壁構造である。
【０００９】
また請求項４記載の発明は、前記壁下地材は、一対の面材と、該面材間に配された縦桟及び／又は横桟を含むとともに、前記副モジュールは、前記縦桟又は横桟に達するビスにより固着される請求項１乃至３のいずれかに記載の外壁構造である。
【００１０】
また請求項５記載の発明は、前記主モジュールは、矩形のタイル状材からなり、かつ前記副モジュールは、フック、手摺り台座又は花台を含む外壁用のアクセサリー材である請求項１乃至４のいずれかに記載の外壁構造である。
【００１１】
また請求項６記載の発明は、前記副モジュールは、ねじ孔を有した取付金具を介して壁下地材に固着される請求項１又は５記載の外壁構造である。
【発明の効果】
【００１２】
本発明の外壁構造は、副モジュールが、主モジュールよりも取り外し容易に壁下地材に固着される。従って、本発明は、副モジュールを壁下地材から容易に取り外すことができ、外壁用のアクセサリー材を壁下地材に簡単に固着できる。従って、施工性が向上する。また、主モジュール及び副モジュールは、同一輪郭形状であるため、外壁の規則模様の見映えを損ねることもない。
【発明を実施するための最良の形態】
【００１３】
以下、本発明の実施の一形態が図面に基づき説明される。
図１には、本実施形態の外壁構造の部分斜視図、図２にはその正面図がそれぞれ示される。
【００１４】
図１に示されるように、本実施形態の外壁構造１は、パネル状の壁下地材３と、該壁下地材３の屋外側の表面に固着される外装材４と、壁下地材３の屋内側の表面に固着される内装材５とを有し、家屋の外壁２に好適に利用される。
【００１５】
前記壁下地材３は、例えば鋼材からなる縦枠材及び横枠材が略矩形に枠組みされた枠体（図示省略）と、この枠体に所定のピッチで隔設される木質材からなる縦桟６及び横桟７（図２に示す）と、該枠体の両面に配される面材８、８とから構成される。なお、壁下地材３の内部に形成される空隙９には、例えばグラスウールやロックウール等の断熱材（図示省略）が配される。
【００１６】
前記面材８には、例えば、コンクリートパネルや石膏ボードなどが用いられる。
【００１７】
前記外装材４は、外壁２の正面視において、輪郭形状が実質的に同一な外装モジュール４Ａが、壁下地材３の表面に規則的に並べられて形成される。
【００１８】
本実施形態において、主モジュール１１及び副モジュール１２は、ほぼ一定の厚さを有しかつ横長かつ矩形のタイル状材から形成される。そして、これらの主モジュール１１及び副モジュール１２からなる外装モジュール４Ａは、横方向に略一定のピッチでかつ隙間を有して規則的に並べられるとともに、上下で隣り合う外装モジュール４Ａが互いに横方向に略半ピッチずらせて配される。これにより、外壁２は、図２に示されるように、外装モジュール４Ａと目地とで見映え良い規則模様で装飾される。
【００１９】
なお、本明細書において、「タイル状材」とは、上述の形態を有するものであれば、陶磁器からなるタイルのみならず、コンクリート、プラスチック又は金属等で構成されたタイル状のものを包含する概念とする。
【００２０】
前記主モジュール１１は、本実施形態では、陶磁器からなるタイルが用いられ、外装モジュール４Ａの大部分を占め、少なくとも９０％以上を構成する。また図１のＡ−Ａ拡大断面図に示されるように、主モジュール１１は、壁下地材３の面材８の表面８ａに、接着剤Ｇを用いて固着される。本実施形態の接着剤Ｇとしては、変性シリコン系接着剤が用いられるが、面材などに応じて、例えばエポキシ系接着剤、アクリルエマルジョン系接着剤又は合成ゴムラテックス系接着剤などが適宜選択される。これにより、主モジュール１１は、例えばバーナーで表面を熱し接着剤Ｇを軟化させなければ取り外せない程度の接合強度で面材８に固着される。
【００２１】
他方、前記副モジュール１２は、主モジュールよりも取り外し容易に壁下地材３に固着される。本実施形態の副モジュール１２は、主モジュール１１よりも僅かに大きい厚さを有しかつ主モジュール１１と同一の輪郭形状を有するタイル状材からなるが、厚さ方向に貫通する孔部１３（図１に示す）が設けられる点で主モジュール１１と異なっている。
【００２２】
そして、副モジュール１２は、例えば裏面を接着剤Ｇで固着されることなく、孔部１３から挿入されるビス１５等の固着具１４で壁下地材３に固着される。これにより、副モジュール１２は、固着具１４を取り外すことによって、主モジュール１１に比して壁下地材３から容易に取り外しできる。従って、副モジュール１２は、主モジュールに比べて取り外し容易に壁下地材３に固着される。
【００２３】
副モジュール１２を構成する材料は特に限定されるものではない。従って、副モジュール１２は、主モジュール１１と同様に、陶磁器のタイルで形成されても良い。しかし、本実施形態のように、孔部１３を設ける場合には、加工性や耐久性の観点より、副モジュール１２を陶磁器に代えて樹脂や金属材料で形成するのが望ましい。この場合、副モジュール１２の表面には、主モジュール１１と同一の質感及び／又は風合いの表面模様を形成することが望ましい。これにより、外壁２の見映えを損ねることが抑制される。
【００２４】
このように、本実施形態の外壁構造１は、副モジュール１２を壁下地材３から容易に取り外すことができるので、例えばフックや手摺りといったアクセサリー材を外壁に取り付けたい場合には、ビス１４を弛めて副モジュール１２を外壁２から取り外し、その部分の面材８に例えばユーザー自身でアクセサリー材を取り付けることができる。しかも、このような副モジュール１２は、主モジュール１１と同一輪郭形状に形成されるので、外壁２の規則模様の見映えを損ねることもない。
【００２５】
また、図２に示されるように、副モジュール１２は、外壁２の正面視において、縦桟６又は横桟７と少なくとも一部で交差する位置に固着されることが好ましい。これにより、図３に示されるように、副モジュール１２を固着するビス１５は、面材８を貫通しかつ縦桟６又は横桟７に達することができる。従って、副モジュール１２を壁下地材３により強固に固着できるとともに、副モジュール１２をフック等の荷重支持部材としたときでも確実にかつ強固に固着しうる点で望ましい。
【００２６】
また、副モジュール１２をビスで面材８に固着した後、その表面の孔部１３には、例えばビス頭部を目隠しするゴムキャップ１８を取付けることが好ましい。これにより、孔部１３回りの水密が保たれるとともに、外壁２の見映えが悪化するのを防止しうる点で好ましい。このゴムキャップ１８の外表面にも、主モジュール１１と同一の表面模様が形成されるのが特に好ましい。
【００２７】
また、図４に示されるように、前記固着具１４は、例えば壁下地材（とりわけ縦桟６又は横桟７）に埋着された鬼目ナット１７と、これに挿通されるビス１６とで構成されても良い。このような実施形態では、ビス１６が、鬼目ナット１７に螺合して支持されるので、より強固に固着されるとともに、反復的に副モジュール１２を取り付け、取り外しを行なっても、桟材に形成されたねじ孔の劣化や固着強度の低下をも防止できる点で好ましい。
【００２８】
図５ないし図７には、タイル状材からなる副モジュール１２を取り外し、そこにフック状の副モジュール１２を取り付けた外壁の実施形態が示される。なお、図５は外壁の分解斜視図、図６は外壁の正面図、図７は図６のＢ−Ｂ断面図である。
【００２９】
この実施形態の副モジュール１２は、図７から明らかなように、主モジュール１１よりも屋外側へ突出して形成されるとともに、その部分に上下に貫通する孔２３が設けられたフック（外壁用のアクセサリー材）として形成される。この副モジュール１２も、外壁２の正面視において、主モジュール１１と輪郭形状が実質的に同一に形成される。なお、フックとして形成された副モジュール１２は、加工性及び耐食性の観点から金属材料で形成されるのが好ましい。
【００３０】
前記フック状の副モジュール１２は、例えば、壁下地材３に、取付金具２６を介して固着される。即ち、本実施形態の副モジュール１２には、壁下地材３側で開口する開口部Ｏと、この開口部Ｏから屋外側へ向かってのび、取付金具２６を内部に嵌め込みうる空隙１９（図７に示す）とを有する。また、副モジュール１２は、この空隙１９から下方に貫通してのびる孔部２４が左右に形成される。
【００３１】
前記取付金具２６は、壁下地材３に沿ってのびるウエブ２７と、該ウエブ２７の両端から屋外側に突出する左右のフランジ２８と、ウエブの下縁から前方にのびる突出片３１とを含んで形成される。
【００３２】
図７に示されるように、ウエブ２７には、壁下地材３側へ貫通する孔部２９が形成され、そこに、壁下地材３に埋着された鬼目ナット１７に螺合するビス１６を挿通して壁下地材３に固着される。
【００３３】
突出片３１には、取付金具２６が副モジュール１２の前記空隙１９に嵌め込まれた状態において前記孔部２４と同軸に整一するネジ孔３２、３２が形成される。そして、このネジ孔３２及び孔部２４には、例えば皿ネジ３３等を副モジュール１２の下方から螺合される。これにより、副モジュール１２が取付金具２６に固着される。また、この固着された状態において、取付金具２６のフランジ２８及び突出片３１が副モジュール１２の前記空隙１９に嵌合させるのが良い。これは、副モジュール１２に作用する負荷を分散させる点で好ましい。
【００３４】
なお、副モジュール１２及び主モジュール１１を含む外装モジュール４Ａが壁下地材３に固着された後、副モジュール１２と接着剤Ｇとの間には、例えば水密性を確保するためのシーリング材２２が充填される。このシーリング材２２としては、変性シリコーン系のシーリング材が用いられるが、必要に応じて例えばアクリル系、ウレタン系等のシーリング材等を用いてもよい。
【００３５】
また、図８に示されるように、前記副モジュール１２は、前記外壁２に取り付けられる手摺り材４１を支持する手摺り台座４２として形成されてもよい。該手摺り台座４２は、タイル状をなす基部４２ａと、該基部４２ａに固着された略Ｌ字状をなしかつ手摺り材４１を支持する添え木部４２ｂとから構成される。基部４２ａの外周の輪郭形状は、主モジュール１１と同一に形成される。
【００３６】
また、図９に示されるように、副モジュール１２は、自転車４３等を外壁２に固定できる自転車用フック４４や、図１０に示されるように、ペットのリード４５を引っ掛けておくことができるリードフック４６として形成されても良い。さらに、図１１に示されるように、副モジュール１２は、植木鉢４７を載置しうる花台４８としても形成できる。このように、副モジュール１２は、あらゆる外壁用のアクセサリー材として形成することもできる。
【００３７】
以上、本発明の特に好ましい形態について詳述したが、本発明は図示の実施形態に限定されることなく、種々の態様に変形して実施し得る。
【図面の簡単な説明】
【００３８】
【図１】本実施形態の外壁構造を示す部分斜視図である。
【図２】その正面図である。
【図３】主モジュール及び副モジュールが壁下地材に固着された状態を示す断面図である。
【図４】副モジュールがボルト及び鬼目ナットによって壁下地材に固着された状態を示す断面図である。
【図５】他の実施形態の副モジュールを示す部分斜視図である。
【図６】その正面図である。
【図７】副モジュールが取付金具に固着された状態を示す断面図である。
【図８】手摺り台座に形成された副モジュールを示す部分斜視図である。
【図９】自転車フックに形成された副モジュールを示す部分斜視図である。
【図１０】リードフックに形成された副モジュールを示す部分斜視図である。
【図１１】花台に形成された副モジュールを示す部分斜視図である。
【符号の説明】
【００３９】
１      外壁構造
３      壁下地材
４      外装材
４Ａ    外装モジュール
１１      主モジュール
１２      副モジュール
【図１】
2010013872.tif 000003
【図２】
2010013872.tif 000004
【図３】
2010013872.tif 000005
【図４】
2010013872.tif 000006
【図５】
2010013872.tif 000007
【図６】
2010013872.tif 000008
【図７】
2010013872.tif 000009
【図８】
2010013872.tif 000010
【図９】
2010013872.tif 000011
【図１０】
2010013872.tif 000012
【図１１】
2010013872.tif 000013